【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
地面に水平な座部（２）を有する座台（３）と、
この座台（３）の後縁中央から垂直に延びる背板（５）と、
座台（３）に平行な足置台（７）と、
この足置台（７），背板（５）及び前記座台（３）の各中央を連通する通し線（９）と
を有する石膏型採得用椅子（１）。
【請求項２】
前記座台（３）は、硬質性材料で形成されていることを特徴とする請求項２に記載の石膏型採得用椅子（１）。
【請求項３】
前記座台（３）上に載置される高さ調整用の座台（１７）を有することを特徴とする請求項２に記載の石膏型採得用椅子（１）。
【請求項４】
前記高さ調整用の座台（１７）は、高さ寸法が３ｃｍであって、この調整用座台（１７）にも通し線（９）を有することを特徴とする請求項３に記載の石膏型採得用椅子（１）。
【請求項５】
咬合器（６５）への上顎石膏型装着用具（１８）であって、基台となる透明基板（２８）と、
歯形の石膏型（１９）に表出する、口蓋骨水平板及び骨口蓋・歯槽骨の接合部である左右一対のハムラノッチ部（２０ｒ，２０ｌ）に載置される、前記透明基板（２８）に一体形成された垂下板（３１）と、
前記石膏型（１９）に表出する切歯乳頭部（２１）の最盛部（２１ａ）に取着される移動自在な切歯乳頭支持ピン（３７）と、
この切歯乳頭支持ピン（３７）の前記透明基板（２８）に対する位置決め固定を行う固定手段（３９）と、
前記透明基板（２８）に形成され前記切歯乳頭支持ピン（３７）の位置表示を行う目盛り（４１）と、
前記透明基板（２８）の表裏二面に形成され、前記垂下板（３１）の中心から平行にかつ前記切歯乳頭支持ピン（３７）側及びその反対側に向けて延びる一対の基線（４３）と、前記垂下板（３１）を貫通する貫通ピン（４２）とを有する上顎石膏型装着用具（１８）。
【請求項６】
前記固定手段（３９）は、前記透明基板（２８）に対して移動する透明移動板（５７）と、この透明移動板（５７）を前記透明基板（２８）に対してスライドするスライド機構（５８）と、このスライド機構（５８）により移動した前記透明移動板（５７）を前記透明基板（２８）に対して固定する螺合手段（５９）とからなることを特徴とする請求項５に記載の上顎石膏型装着用具。
【請求項７】
前記スライド機構（５８）は、前記透明基板（２８）に形成され前記基線（４３）に平行な貫通孔（５１）と、
前記透明移動板（５７）に固定されるとともに、前記貫通孔（５１）にゆるみ嵌め状に貫通されるボルト（６０）と、
このボルト（６０）と螺合するナット（６１）とからなることを特徴とする請求項６に記載の上顎石膏型装着用具。
【請求項８】
咬合器（６５）への上顎石膏型装着用具（７７）であって、
咬合器（６５）において上顎石膏型（１９）の載置台となるテーブル（７９）と、
このテーブル（７９）に置かれ、歯形の上顎石膏型（１９）に表出する、口蓋骨水平板及び骨口蓋・歯槽骨の接合部である左右一対のハムラノッチ部（２０ｒ，２０ｌ）に当接支持するハムラノッチ保持板（８１）と、
前記テーブル（７９）に対して自在にスライド可能であって、上顎石膏型（１９）に表出する切歯乳頭部（２１）の最盛部（２１ａ）を支持する切歯乳頭保持ピン（８３）を有する透明スライド板（８５）と、
前記テーブル（７９）に設けられ、前記切歯乳頭支持ピン（３７）の位置決めを行う指標である目盛り（８４）と、
前記テーブル（７９）に設けられた中心線（８８）とを有する上顎石膏型装着用具（７７）。
【請求項９】
前記ハムラノッチ保持板（８１）は、横断面で倒立Ｔ字状部位を有することを特徴とする請求項８に記載の上顎石膏型装着用具。
【請求項１０】
前記ハムラノッチ保持板（８１）は、前記テーブル（７９）と面接触した状態でスライドするテーブル接触部分（８１ｄ）と、このテーブル接触部分（８１ｄ）から植立し、前記上顎石膏型（１９）に表出するハムラノッチ部（２０ｒ，２０ｌ）に当接する当接部（８１ｅ）とからなることを特徴とする請求項９に記載の上顎石膏型装着用具（７７）。
【請求項１１】
歯形の上顎石膏型（１９）に表出する、左右一対のハムラノッチ部（２０ｒ，２０ｌ）にハムラノッチ保持板（８１）を係止する係止溝（１０３）を有する上顎石膏型（１９）。
【請求項１２】
次に手順１〜１５を含む咬合器（６５）への上顎石膏型取付方法。
（手順１）上顎石膏型（１９）に表出する切歯乳頭部２１の形態を上顎石膏型（１９）上で印記する。
（手順２）前記上顎石膏型（１９）に表出する左右のハムラノッチ部（２０ｒ，２０ｌ）を印記する。
（手順３）前記上顎石膏型（１９）に表出する口蓋正中縫合（２３）を印記する。
（手順４）前記切歯乳頭部（２１）の最盛部（２１ａ）に小孔（１０６）を穿孔する。
（手順５）前記小穴（１０６）に入れられる切歯乳頭支持ピン（３７）を有する透明移動板（５７）を、基台としての透明基板（２８）に対してフリー状態にし、前記切歯乳頭支持ピン（３７）を前記小孔（１０６）に入れる。
（手順６）前記透明基板（２８）に垂下される垂下板（３１）の先端を鋭角にし、当該先端を前記左右のハムラノッチ部（２０ｒ，２０ｌ）に合わせる。
（手順７）前記透明基板（２８）を左右にずらして前記垂下板（３１）に貫通垂下されて
いる貫通ピン（４２）を前記口蓋正中縫合の真上で位置合わせした後、下方に延ばして前記口蓋正中縫合（２３）に当接して接点（２４）を求める。
（手順８）この状態で前記透明移動板（５７）を固着手段（６０，６１）により前記透明基板（２８）に固定し、もって、上顎石膏型（１９）に表出する口蓋骨水平板及び骨口蓋・歯槽骨の接合部である左右一対のハムラノッチ部（２０ｒ，２０ｌ）と、軟組織部で骨の下支えのない切歯乳頭部（２１）の最盛部（２１ａ）と、左右一対のハムラノッチ部（２０ｒ，２０ｌ）を結ぶ仮想線であるハムラノッチ結合線（２２）及び口蓋正中縫合（２３）の接点（２４）とからなる３種４点を結んでなるＨＩＰ平面（２５）を確定する。
（手順９）前記接点（２４）から前記仮想のハムラノッチ結合線（２２）に対して前記切歯乳頭部（２１）側に向けて垂直に延びる垂線（４３）に対する前記最盛部（２１ａ）のずれ量（ｌ）及び前記仮想のハムラノッチ結合線（２２）から前記最盛部（２１ａ）までの距離（Ｌ）とを測定する。
（手順１０）前記上顎石膏型（１９）の後面（１９ａ）に貫通ピン（４２）の長手方向先端側に延びる仮想の延長線（４２ａ）を印記する。
（手順１１）手順９で得た、前記垂線（４３）に対する前記最盛部（２１ａ）の左右のずれ（ｌ）と、前記仮想のハムラノッチ結合線（２２）から前記最盛部（２１ａ）までの距離（Ｌ）とを、目盛り８４を用いて咬合器（６５）に取り付けられたテーブル（７９）上で反映させるべく、前記上顎石膏型（１９）を前記テーブル（７９）に載置した場合に当該上顎石膏型（１９）に穿孔された前記小孔（１０６）に入れられる前記切歯乳頭保持ピン（８３）を有する透明スライド板（８５）をテーブル（７９）の目盛り上で移動する。
（手順１２）上顎石膏型（１９）をテーブル（７９）に移動し、前記小孔（１０６）に透明スライド板（８５）の切歯乳頭保持ピン（８３）を入れる。
（手順１３）上顎石膏型（１９）のハムラノッチ部（２０ｒ，２０ｌ）に先端を鋭角にしたハムラノッチ保持板（８１）を当てる。
（手順１４）上顎石膏型（１９）の後面（１９ａ）に印記した前記仮想の延長線（４２ａ）と、テーブル（７９）の表面に設けられ、前記目盛り（８４）の中心を通る中心線（８８）とを合わせる。
（手順１５）上顎石膏型（１９）を咬合器上弓（７３）に固定する。